(57)【特許請求の範囲】
【請求項１】
扉の錠に固定されるハウジングと、
該ハウジングに着脱自在に内装される外筒と、
該外筒に回転自在にして内包される内筒と、
前記外筒に後端部が固定されて当該外筒の前面側の一部を覆い隠す化粧キャップと、
前記扉の外側において前記ハウジングの外周面に嵌装されると共に前記化粧キャップと外筒との取付け固定用の固定手段を外部側から操作できないようにリング前端部が前記化粧キャップの外周面を被覆する化粧リングと、
前記内筒のキー溝に差し込んだキーが解錠方向に回転され当該キー先端部が押すことで前記ハウジングの内周壁面に周方向に刻設した係止溝から離隔して外筒半径内に没入して前記内筒，外筒および化粧キャップが前記ハウジングから脱着されるように、前記外筒にその半径方向において揺動自在に設けられているストッパー手段とから構成されていること、
を特徴とするシリンダー錠。
【請求項２】
ストッパー手段は、外筒の後方側において、平板状のストッパーが外筒半径方向に揺動自在にして支持ピンにて当該外筒に支持され、前記ストッパーの一端部が内筒に接近し他端部が外筒の外周面から突出してハウジングの係止溝に係止されるように常に弾性部材で付勢されており、前記ストッパーの一端部がシリンダー脱着用のキーの解錠方向への回転の際にそのキー先端部に当接するように位置決めされていること、
を特徴とする請求項１に記載のシリンダー錠。
【請求項３】
化粧リングは、外筒の外側に遊嵌されるとともに当該ハウジングの前端部に固定手段で固定され前記化粧リングの内壁段部に一部が当接するハウジングナットによって、扉側に押しつけられて固定されること、
を特徴とする請求項１または２に記載のシリンダー錠。
【発明の詳細な説明】
【技術分野】
【０００１】
本発明は、例えば、シリンダーの交換が簡単にできることにより、シリンダー前面の化粧キャップの交換が容易にできるようにしたシリンダー錠に関するものである。
【背景技術】
【０００２】
従来、シリンダー錠において、そのシリンダーが交換できるものの構造は、例えば、扉等に固定されるハウジング内にシリンダー錠本体が着脱自在に構成され、前記ハウジングには扉等の裏側に位置して前記シリンダー錠本体を離脱させる離脱操作部が設けられたものが知られている（特許文献１参照）。また、扉に固定された仮設若しくは既設の錠装置において、現シリンダ錠と他のシリンダ錠とを、フロント側から操作する取付け手段により、錠箱や連係機構をそのままにして他のシリンダ錠に交換するものが知られている（特許文献２参照）。
【特許文献１】特開平０５−０４４３６４号公報
【特許文献２】特開平１０−３１１１７０号公報
【発明の開示】
【発明が解決しようとする課題】
【０００３】
しかし、従来のシリンダー錠では、例えば、シリンダー錠が固定されている扉の内側に、シリンダー錠離脱操作部が設けられている。よって、シリンダー錠の交換には、前記扉を一旦開けて、離脱操作部を操作する必要があり、当該扉の表側からのシリンダー交換作業とすることができない。また、他社のシリンダ錠と交換するものにおいては、扉内に固定された錠箱に対してフロント側から操作される取付手段により着脱可能に取り付けられたシリンダー錠なので、錠装置全体を交換する必要がないが、シリンダーが変わることで突出入作用するデッドボルトなどの連係機構を駆動させるためのアダプターが必要である。更に、扉のサムターンを外して取付け手段を操作するなど、手間が掛かる。本発明に係るシリンダー錠は、このような課題を解決するために提案されたものである。
【課題を解決するための手段】
【０００４】
本発明に係るシリンダー錠の上記課題を解決して目的を達成するための要旨は、扉の錠に固定されるハウジングと、該ハウジングに着脱自在に内装される外筒と、該外筒に回転自在にして内包される内筒と、前記外筒に後端部が固定されて当該外筒の前面側の一部を覆い隠す化粧キャップと、前記扉の外側において前記ハウジングの外周面に嵌装されると共に前記化粧キャップと外筒との取付け固定用の固定手段を外部側から操作できないようにリング前端部が前記化粧キャップの外周面を被覆する化粧リングと、前記内筒のキー溝に差し込んだキーが解錠方向に回転され当該キー先端部が押すことで前記ハウジングの内周壁面に周方向に刻設した係止溝から離隔して外筒半径内に没入して前記内筒，外筒および化粧キャップが前記ハウジングから脱着されるように、前記外筒にその半径方向において揺動自在に設けられているストッパー手段とから構成されていることである。
【０００５】
前記ストッパー手段は、外筒の後方側において、平板状のストッパーが外筒半径方向に揺動自在にして支持ピンにて当該外筒に支持され、前記ストッパーの一端部が内筒に接近し他端部が外筒の外周面から突出してハウジングの係止溝に係止されるように常に弾性部材で付勢されており、前記ストッパーの一端部がシリンダー脱着用のキーの解錠方向への回転の際にそのキー先端部に当接するように位置決めされていること、；
前記化粧リングは、外筒の外側に遊嵌されるとともにハウジングの前端部に固定手段で固定されるハウジングナットの一部によって、扉側に押しつけられて固定されること；
を含むものである。
【発明の効果】
【０００６】
本発明のシリンダー錠によれば、内筒に脱着用のキーを差し込んで解錠方向に回転させると、ストッパー手段が外筒半径方向に没入して、ハウジングの係止溝との係止関係が解除される。よって、内筒と、外筒、およびこの外筒に取り付けられている化粧キャップが、ハウジングから脱着される。それにより、キズ等の付いた化粧キャップを新しい化粧キャップに取り替えて新品同様のシリンダー錠とすることができる。また、内筒および外筒を他の使用場所から順番に廻して転用させることができる。こうして、内筒および外筒を場所を変えて複数回に渡り転用して使用する時に、新しい化粧キャップに交換して、製品価値を低下させないようにすることができる。
【０００７】
平板状のストッパーを外筒半径方向に揺動自在に支持することで、容易にハウジングからの脱着が可能となり、手間の掛かる錠箱の解体工事も無く、キー操作により外筒等をハウジングから容易に脱着させることができる。
化粧リングは、ハウジングナットによって扉に押しつけて固定されるので、外部から外すことが不可能となり、前記外筒等をキーでハウジングから脱着させた後に、取り外しができるようになる。
【発明を実施するための最良の形態】
【０００８】
本発明に係るシリンダー錠１は、図１に示すように、 扉２の錠に固定されるハウジング３と、該ハウジング３に着脱自在に内装される外筒４と、該外筒４に回転自在にして内包される内筒５と、前記外筒４に後端部６ａが固定されて当該外筒４の前面側の一部を覆い隠す化粧キャップ６と、前記扉２の外側において前記ハウジング３の外周面に嵌装されると共に前記化粧キャップ６と外筒４との取付け固定用の固定手段７を外部側から操作できないようにリング前端部８ａが前記化粧キャップ６の外周面を被覆する化粧リング８と、前記内筒５のキー溝５ａに差し込んだキー９が解錠方向に回転され当該キー先端部９ａが押すことで前記ハウジング３の内周壁面に周方向に刻設した係止溝３ａから離隔して外筒半径内に没入して前記内筒５，外筒４および化粧キャップ６が前記ハウジング３から脱着されるように、前記外筒４にその半径方向において揺動自在に設けられているストッパー手段１０とから構成されている。
【０００９】
そして、図２に示すように、前記ストッパー手段１０は、外筒４の後方側に配置される。これは、通常のキーが挿入されても、その通常のキーの先端部が、前記ストッパー手段１０に作用しないようにするためである。このストッパー手段１０に作用するキーは、脱着用のキーであって、通常キーの長さよりも長いものである。
【００１０】
前記ストッパー手段１０の構成は、一例として、図２に示すように、平板状のストッパー１０ａが外筒半径方向に揺動自在にして支持ピン１１にて当該外筒４に支持されているものである。このストッパー１０ａの形状の詳細は、図３に示す。
【００１１】
前記ストッパー１０ａは、図３に示すように、その一端部１０ｃが内筒５に接近し他端部１０ｂが外筒４の外周面から突出してハウジング３の係止溝３ａに係止されるように、常に弾性部材１２と押しピン１３とで付勢されている。前記ストッパー１０ａの一端部１０ｃがシリンダー脱着用のキー９の解錠方向への回転の際に、そのキー先端部９ａに当接するように位置決めされている。
【００１２】
前記外筒４は、図４（Ａ），（Ｂ）に示すように、全体筒状で、中央部に内筒５収納用の空間４ａがあり、後方には前記ストッパー１０ａを挿着する半月状のスリット４ｂが設けられ、前記支持ピン１１を圧入する支持穴４ｃが設けられている。
【００１３】
更に、前記弾性部材１２と押しピン１３を挿着するための収納孔４ｄが設けられている。この外筒４の上部には、前後方向に沿って凹部４ｅが設けられ、クリック用の球１８（図１（Ｂ）参照）を入れる穴４ｆと、この球１８を抑える板バネ１９（同図１（Ｂ）参照）の端部を保持する穴４ｇとが設けられている。
【００１４】
前記外筒４の前端部には、化粧キャップ６が挿着され被冠される。この化粧キャップ６の構造は、図５に示すように、全体が所要幅のリング状で、前方に内筒用の貫通孔６ｂが設けられ、それに後方へ連通して貫通孔６ｃが設けられ、この貫通孔６ｃに外筒４の外形部が挿し込まれる。更に、半径方向に、取り付け固定用のネジ穴６ｄと回転止め穴６ｅとが設けられている。
【００１５】
前記化粧リング８は、図１に示すように、外筒４の外側に遊嵌されるとともにハウジング３の前端部に固定手段、例えば、裸着方法で固定されるハウジングナット１４の一部によって、扉２側に押しつけられて固定される。この化粧リング８は、中央部に大きな貫通孔の開いた断面台形状のリングであって、扉２の外側表面との間に、戸厚調整リング１５を介在させて取り付けられるものである。
【００１６】
前記ハウジングナット１４は、扉２の取付け穴２ａに中側から外側に挿着して外側に突出されたハウジング３の前端部に、前記化粧リング８を介在させて、裸着されるものである。これによって、化粧リング８が扉２に固定される。
【００１７】
前記ハウジングナット１４の形状は、図６に示すとおりである。ネジ部１４ａが、ハウジング３の前端部の内周壁面のネジ部に裸合するものである。中央の貫通孔１４ｂは、外筒４が挿通するようになっている。フランジ部１４ｃが、前記化粧リング８を扉２側に押しつけるものである。このハウジングナット１４が前記化粧リング８の内側の段部を扉２側に押しつけるには、戸厚調整カラー１６と回止めワッシャー１７を介在させて、行うものである。
【００１８】
前記ハウジング３は、図１（Ｂ）および図７（Ａ）〜（Ｄ）に示すように、全体が円筒体であり、その後方には、上下に突出する係止部３ｂが設けられ、前端部の内側壁面には、前記ハウジングナット１４が裸着されるネジ部３ｃが設けられている。また、上部には、回止めワッシャー１７の内側突起部を係止させて位置決めさせる溝部３ｄが設けられている。
【００１９】
このようにして、本発明に係るシリンダー錠１が形成され、これを扉２に取り付けるには、前記ハウジング３を取付け穴２ａに挿着し、外側に突出した当該ハウジング３の前端部から戸厚調整リング１５と化粧リング８とを挿着する。
【００２０】
前記化粧リング８の内部に、ハウジング３の外周に回止めワッシャー１７および戸厚調整カラー１６を順に挿着し、ハウジングナット１４をハウジング３の前端部に裸着して締め込む。これにより、化粧リング８が扉２に向けて押しつけられ固定される。
【００２１】
次に、内筒５と外筒４との組立体に、化粧キャップ６を被せて、固定手段としてのスクリュウネジ７で固定する。このとき、ストッパー手段１０におけるストッパー１０ａの端部１０ｂの一部が、弾性部材１２と押しピン１３とにより外側に付勢され、外筒４の外周面から外に突出している。
【００２２】
前記内筒５のキー溝５ａに、シリンダー脱着用キー９を差し込んで、解錠方向に回転させる。すると、そのキー９の先端部９ａが、前記ストッパー１０ａの一端部１０ｃに当接して、前記弾性部材１２の付勢力に抗して支持ピン１１を中心にして時計方向に回転するように押し込み、他端部１０ｂが、外筒４の半径方向内側に没入する。その状態で、この内筒５，外筒４，化粧キャップ６を、ハウジング３に差し込む。
【００２３】
前記外筒４が奥まで差し込まれたら、前記キー９を施錠方向に戻す。ストッパー１０ａの他端部１０ｂの一部が、弾性部材１２と押しピン１３の付勢力により、再び外筒４の外周面より外に突出し、ハウジング３の係止溝３ａに入り込んで係止される。こうして、外筒４の前後方向の移動が阻止されて抜止めとなる。
【００２４】
また、化粧リング８の前端部８ａが、前記継承キャップ６の側壁面を覆い隠し、前記固定用のスクリュウーネジ７が隠される。こうして、キー９をキー溝５ａから抜くと、外筒４および内筒５を手前に引き出すことが出来ず、化粧キャップ６も外すことはできない。
【００２５】
次に、前記外筒４および内筒５を交換する必要があるとき、例えば、他の地域で使用していた外筒等を所要回数キー交換して使用したので、最初のキーから再使用したい場合、若しくは、化粧キャップ６が著しくキズ等が付いて交換しなければならないときは、前記シリンダー脱着用キー９を内筒５に差し込んで解錠方向に廻す。そして、ストッパー１０ａを回動させて係止溝３ａに対する係止作用を解除させる。そのまま、内筒５，外筒４，化粧キャップ６を手前に引き出す。
【００２６】
前記脱着させた外筒４，内筒５を新品に交換するか、他の地域で使用していた外筒４および内筒５をリサイクルさせるか、化粧キャップ６を新しいものに交換する。そして、再び、前記キー９を差し込んだ状態の外筒４，内筒５，化粧キャップ６を、シリンダー３に挿着して、前記キー９を抜く。これで、交換作業が簡単に完了する。前記外筒および内筒をリサイクルさせた場合でも、化粧キャップ６を新品に交換することで、シリンダー錠１として新品同様になるものである。
【図面の簡単な説明】
【００２７】
【図１】本発明に係るシリンダー錠１の正面図（Ａ）、側断面図（Ｂ）、背面図（Ｃ）である。
【図２】同シリンダー錠１におけるストッパー手段１０を示す縦断面図である。
【図３】ストッパー手段１０におけるストッパー１０ａの正面図（Ａ）と側面図（Ｂ）である。
【図４】外筒４の縦断面図（Ａ）と、Ａ−Ａ線に沿った断面図（Ｂ）である。
【図５】シリンダー錠１における化粧キャップ６の、正面図（Ａ）と縦断面図（Ｂ）と、背面図（Ｃ）とである。
【図６】同シリンダー錠１における、ハウジングナット１４の正面図（Ａ）と、縦断面図（Ｂ）と、側面図（Ｃ）と、背面図（Ｄ）とである。
【図７】同シリンダー錠１における、ハウジング３の平面図（Ａ）と、縦断面図（Ｂ）と、正面図（Ｃ）と、側面図（Ｄ）とである。
【符号の説明】
【００２８】
１          シリンダー錠、
２          扉、
３          ハウジング、              ３ａ          係止溝、
３ｂ        係止部、                  ３ｃ          ネジ部、
３ｄ        溝部、
４          外筒、                    ４ａ          空間、
４ｂ        スリット、                ４ｃ          支持穴、
４ｄ        収納穴、                  ４ｅ          凹部、
４ｆ        穴、                      ４ｇ          穴、
５          内筒、                    
６          化粧キャップ、            ６ａ          後端部、
６ｂ        貫通孔、                  ６ｃ          貫通孔、
６ｄ        ネジ穴、                  ６ｅ          回転止め穴、
７          スキューネジ、
８          化粧リング、              ８ａ          前端部、
９          シリンダー脱着用キー、    ９ａ          先端部、
１０        ストッパー手段、          １０ａ        ストッパー、
１０ｂ      他端部、                  １０ｃ        一端部、
１１        支持ピン、
１２        弾性部材、
１３        押しピン、
１４        ハウジングナット、        １４ａ        ネジ部、
１４ｂ      貫通孔、                  １４ｃ        フランジ部、
１５        戸厚調整リング、
１６        戸厚調整カラー、              
１７        回止めワッシャー、
１８        球、
１９        板バネ。
【図１】
0004682000.tif 000002
【図２】
0004682000.tif 000003
【図３】
0004682000.tif 000004
【図４】
0004682000.tif 000005
【図５】
0004682000.tif 000006
【図６】
0004682000.tif 000007
【図７】
0004682000.tif 000008